(57)【要約】【課題】スルー・レート限界信号強度予測【解決手段】無線移動体受信器において受信信号強度を予測するための方法、装置およびコンピュータ・プログラム製品。この発明は次の予測信号のための許容値の範囲を制限する。制限された予測はマルチパス・フェージングからの誤り値を補償する。予測信号強度は移動体受信器の増幅器利得を所望のレベルに設定するために使用される。
2005509362.tif 000002
【特許請求の範囲】
【請求項１】
下記工程を具備する、不連続性送信システムにおいて信号強度を予測する方法：
（ａ）現在の受信信号のパワーを測定する；
（ｂ）工程（ａ）からのパワーを現在の予測パワーと比較する；
（ｃ）工程（ｂ）の比較から次の予測パワーを決定する；および
（ｄ）工程（ｃ）からの次の予測パワーに基づいて増幅器の利得を設定する。
【請求項２】
工程（ｂ）が下記を具備する、請求項１記載の方法：
工程（ａ）からのパワーを現在の予測パワーから減算することによりパワー差を決定する；および
ここで工程（ｃ）は下記を具備する；
（１）もしも工程（ｂ）からの差が正で負のスルー・リミットより大きければ次の予測パワーを負のスルー・リミットより小さい前記現在予測されたパワーに等しく設定する；および
（２）もしも工程（ｂ）における差が負のスルー・リミット以下であれば、前記次の予測パワーを工程（ａ）からの該パワーに等しく設定する。
【請求項３】
工程（ｂ）が下記を具備する、請求項１記載の方法：
工程（ａ）からのパワーを現在の予測パワーから減算することによりパワー差を決定する；および
ここで工程（ｃ）は下記を具備する；
（１）もしも工程（ｂ）からの該差が負でそれの大きさが正のスルー・リミットより大きければ、次の予測パワーを、前記現在予測されたパワー＋前記正のスルー・リミットに等しく設定する；および
（２）もしも工程（ｂ）からの差が負でそれの大きさが前記正のスルー・リミット以下であれば、前記次の予測パワーを工程（ａ）からの該パワーに等しく設定する。
【請求項４】
工程（ｄ）が下記を具備する、請求項１記載の方法：
工程（ｃ）で決定された該パワーに基づいて、複数の連結された増幅器の利得状態を設定する。
【請求項５】
下記を具備する予測器：
現在の受信信号のパワーを測定するための測定手段；
前記現在測定されたパワーと現在の予測パワーとの間のパワー差を得るための比較手段；
次の予測パワーを決定するための決定手段；および
前記次の予測パワーに基づいて、増幅器の利得を設定するための設定手段。
【請求項６】
前記決定手段が下記をさらに具備する、請求項５記載の予測器：
前記パワー差と負のスルー・リミットとの間の該を評価するための評価手段；
もしも前記パワー差が前記負のスルー・リミットより大きければ、次の予測パワーを前記現在の予測パワー−前記負のスルー・リミットに等しく設定し、さもなければ、次の予測パワーを前記現在の測定パワーに等しく設定するための次の予測パワー設定手段。
【請求項７】
前記決定手段が下記をさらに具備する、請求項５記載の予測器：
前記パワー差と正のスルー・リミットとの間の差を評価するための評価手段；および
もしも前記パワー差が前記正のスルー・リミットより大きければ次の予測パワーを前記現在の予測パワー＋前記正のスルー・リミットに等しく設定し、さもなければ、次の予測パワーを前記現在の測定パワーに等しく設定するための次の予備パワー設定手段。
【請求項８】
アプリケーション・プログラムに、次の受信信号パワーを予測することをコンピュータ上で実行させるための媒体内に具体化されたコンピュータ可読プログラムコード手段を有するコンピュータ使用可能媒体を具備するコンピュータ・プログラム製品、前記コンピュータ可読プログラムコード手段は下記を具備する：
該コンピュータに現在の受信信号パワーを測定させるための第１のコンピュータ可読プログラムコード手段；
該コンピュータに該現在の測定パワーと現在の予測パワーとの間のパワー差を決定させるための第２のコンピュータ可読プログラムコード手段；
該コンピュータに次の予測パワーを決定させるための第３のコンピュータ可読プログラムコード手段；
前記次の予測パワーに基づいて該コンピュータに低ノイズ増幅器の利得を設定させるための第４のコンピュータ可読プログラムコード手段。
【請求項９】
前記第３のコンピュータ可読プログラムコード手段が下記を具備する、請求項８記載のコンピュータ・プログラム製品：
前記パワー差を負のスルー・リミットと比較するためのコンピュータ可読プログラムコード手段；
もしも前記パワー差が前記負のスルー・リミットより大きければ次の予測パワーを、前記現在の予測パワー−前記負のスルー・リミットに等しく設定するためのコンピュータ可読プログラムコード手段；および
もしも前記パワー差が前記負のスルー・リミット以下であれば、次の予測パワーを前記現在の測定パワーに等しく設定するためのコンピュータ可読プログラムコード手段。
【請求項１０】
前記第３のコンピュータ可読プログラムコード手段が下記を具備する、請求項８記載のコンピュータ・プログラム製品：
前記パワー差を正のスルー・リミットと比較するためのコンピュータ可読プログラムコード手段；
もしも前記パワー差が前記正のスルー・リミットより大きければ次の予測パワーを前記現在の予測パワー＋前記正のスルー・リミットに等しく設定するためのコンピュータ可読プログラムコード手段；および
もしも前記パワー差が前記正のスルー・リミット以下であれば、次の予測パワーを前記現在の測定パワーに等しく設定するためのコンピュータ可読プログラムコード手段。
【請求項１１】
下記を具備する予測器：
現在の受信パワー入力；
次の予測パワー出力；
現在予測されたパワー入力；
スルー・リミット信号を供給可能な、スルー・リミット・セレクタ；および
前記スルー・リミット・セレクタに、前記次の予測パワー出力に、前記現在受信されたパワー入力に、および前記現在の予測パワー入力に、連結された比較器、
ここで、
前記比較器は、前記現在の予測パワー入力、前記現在の受信パワー入力および前記スルー・リミット・セレクタ、からの信号に応じて次の予測パワーを決定する。
【請求項１２】
下記をさらに具備する、請求項１１記載の予測器：
前記次の予測パワー出力に連結された増幅器利得セレクタ、ここで前記次の予測パワーは増幅器利得状態を設定する；および
前記次の予測パワー出力および前記現在の予測パワー入力に連結された遅延素子、ここで前記遅延素子は次の予測パワーを現在の予測パワーに変換する。
【発明の詳細な説明】
【技術分野】
【０００１】
本発明は無線電気通信に関する。より詳しくは、本発明は不連続性(discontinuous)無線送信システムにおいて受信信号強度を予測する方法に関する。
【背景技術】
【０００２】
本発明は詳しくは不連続性無線送信システムに向けられる。公衆用における１つのそのようなシステムはＧＳＭとして知られる。１９８２年に、グループ・スペシャル・モバイル（ＧＳＭ）と命名された研究会が汎ヨーロッパ公衆用陸上移動体システムを研究し開発するために形成された。１９９０年に、このＧＳＭ仕様の第１段階が発行された。商用サービスは１９９１年の中頃に開始されて、１９９３年までに２２ケ国内に３６ＧＳＭネットワークがあった。ヨーロッパで標準化されたが、ＧＳＭはヨーロッパ標準のみではない。
【０００３】
（ＤＣＳ１８００およびＰＣＳ１９００を含む）２００を超えるＧＳＭネットワークが世界中の１１０ケ国で運用中である。１９９４年の初頭には、世界中で１３００万加入があり、それは１９９７年１０月までに５５００万以上に増大した。ＰＣＳ１９００と命名されたＧＳＭの１派生物でＧＳＭ分野に遅れて加入した北米とともに、ＧＳＭシステムはあらゆる大陸上に存在し、そして頭字語（acronym）ＧＳＭは今や移動通信用のグローバル・システムを適切に代表している。
【０００４】
ＧＳＭネットワークは３つの主要部に分割されることができる。移動局は加入者によって運ばれる。基地局サブシステムは移動局との無線リンクを制御する。それの主要部が移動体サービス交換局であるネットワーク・サブシステムは、移動体ユーザ間の呼および移動体と固定ネットワーク・ユーザ間の呼の交換を実行する。
【０００５】
無線スペクトルは全ユーザにより共有される有限の資源であるので、１方法はできるだけ多くのユーザの間で帯域幅を分けられるように工夫されねばならない。ＧＳＭにより選択された方法は時分割および周波数分割多重アクセス（ＴＤＭＡ／ＦＤＭＡ）の組み合わせである。１つまたはそれ以上の搬送波周波数が各基地局に割り当てられる。これらの搬送波周波数の各々はその後、ＴＤＭＡスキームを使用して、時間に合わせて分けられる。このＴＤＭＡスキームにおける時間の基準単位はバースト周期と呼ばれ、そしてそれは１５／２６ｍｓ続く。８バースト周期が１ＴＤＭＡフレームにグループ化され、それは論理チャネルの定義のための基本単位を形成する。１物理チャネルはＴＤＭＡフレーム当たり１バースト周期である。
【０００６】
セルラ・システムにおいて他局間干渉(co‐channel  interference)を最小化することは、与えられたセル・サイズの、またはより小さいセルの使用に対してより良いサービスを与え、したがってそのシステムの全体の容量を増加させる。不連続性送信（ＤＴＸ）は、無音期間の間、送信器を電源オフにすることにより、１個人が正常会話の時間の４０％以下を通話するという事実を利用する１動作モードである。ＤＴＸにより送信時間を減少させることは他局間干渉を減少させる。ＤＴＸの追加の利益は電力が移動体ユニットで節約されることである。
【０００７】
移動局で電力を節約するために使用されるもう１つの方法は不連続受信である。入呼を通信するために基地局で使用されるページング・チャネルは、サブチャネル内に組み立てられる。各移動局はそれ自身のサブチャネルのみを聞く必要がある。連続するページング・サブチャネルの間の時間に、移動体はスリーブ・モードに入ることができ、その時電力はほとんど使用されない。
【０００８】
移動局受信器の共通の実施の形態は、それが最小の量子化または飽和ノイズで量子化され得るように受信信号を増幅するアナログ・セクションを有する。必要な増幅量は受信信号パワーに反比例する。
【発明の開示】
【０００９】
ＤＴＸシステムでは移動局は次の受信信号の信号強度を知らない。信号強度または受信パワーは受信器増幅度のレベルを正確に設定するために予測されねばならない。受信器増幅度を設定するために最終受信信号パワーを使用することは過度の飽和または量子化ノイズを引き起こす可能性がある。
【００１０】
割り当てられた９００ＭＨｚ周波数帯域で、ＧＳＭ無線波は建物、丘陵、車両、航空機等のような物体ではね返される。したがって、それぞれ異なる位相を有する多くの反射信号がアンテナに到達できる。これらの反射信号により引き起こされた干渉はマルチパス・フェージングとして知られる。
【００１１】
受信パワーに影響を及ぼす変数の１つはＧＳＭ無線周波数チャネル内で起こるマルチパス・フェージングである。もしも局部反射波のみが考慮に入れられるならば、マルチパス・フェージングはレイリー分布に従い、そしてそれゆえマルチパス・フェージングはしばしばレイリー・フェージングと呼ばれる。
【００１２】
より短期間ではあるが、レイリー・フェージングはそれの平均値に比例する利得よりも大きい減衰を有する特性を有している。以前に受信された信号は、レイリー・フェージングのために（ディープ・フェードとして知られる）大きい減衰を受けていた可能性がある。 それゆえ、このパワー・レベルは受信されるべき次の信号の良好な推定ではない。
【００１３】
必要なことは次の受信信号のパワーを予測するための簡単で信頼できる方法である。その方法は不連続性送信システムに適用でき、そして以前に検討されたエラーを軽減しなければならない。
【００１４】
［発明の概要］
この発明は不連続性送信システムにおいて次の受信信号強度を予測するための方法と装置とを具備する。その方法は現在受信された信号パワーを測定し、その後この現在受信されたパワーと予測パワーとの間の差を計算する。この差は事前に選択された値と比較される。もしもその差が事前に選択された値以上であれば、次の予測パワーは現在の予測パワー−事前に選択された値に等しく設定される。もしもその差が事前に選択された値未満であれば、次の予測パワーは現在の受信パワーに等しく設定される。次の予測パワーは増幅器の利得を設定するために使用される。
【００１５】
予測器はスルー・リミット・セレクタ、比較器、遅延および利得セレクタを具備する。予測器は連続的受信信号間の許容変化に基づいて次の予測パワー上に正および負のスルー・リミット(slew limit)を設定する。予測器の出力、次の予測パワーは次の受信信号に対する受信器利得を設定するために使用される。
【００１６】
この発明はまたアプリケーション・プログラムに次の受信信号パワーを予測させ、そしてその後次の予測パワーに基づいて低ノイズ増幅器の利得を設定させるためのコンピュータ可読プログラムコード手段(code means)を有するコンピュータ使用可能媒体(medium)を具備する。
【発明の詳細な説明】
【００１７】
図面において、各参照番号の最も左の数字は、その番号が最初に参照される図の番号を示す。
【００１８】
この発明の前述のおよび他の特徴と利点とは、添付された図面に図示されたように、この発明の好ましい実施形態の下記の、より詳しい記述から明白になるであろう。
【００１９】
図１は移動無線信号１００を図示する。移動無線信号１００は自然現象に基づく２要素によって人為的に特徴付けられる。局部的平均値１１０は基地局と移動局との間の地形による変化を表す。マルチパス・フェージング１２０は周囲の建物や他の構造物から反射された無線波によって引き起こされる。マルチパス・フェージング１２０はしばしばレイリー・フェージング(Rayleigh fading)と呼ばれる。ディープ・フェード１３０はレイリー分布(Rayleigh distribution)の特性によって引き起こされて、移動無線受信信号パワー内に突然の、短期間の減少を引き起こすことがありうる。
【００２０】
次の受信信号を予測する１方法は、次の受信信号内のパワーがレイリー・フェージング無しの以前の信号のパワー＋レイリー・フェージング減衰の期待値に等しいと仮定するであろう。あいにく移動局は多数の以前に受信された信号におけるパワーの平均を単純に取ることによりフェージング無しの以前に受信された信号におけるパワーを正確に推定することはできない。レイリー・フェージング無しでさえ、受信信号におけるパワーは時間と共に変化するので、サンプルされた信号の数はその平均値がもはや実際の値に近づけないほど大きくなるであろう。しかしながら、もしも予測器(predictor)が更新ごとに所定のリミットを減少させるだけならば、そのときディープ・フェードは予測信号(predivted signal)に、ディープ・フェードの最大限の大きさよりはむしろ、次の受信周期内の所定値の利得のみを喪失させるであろう。
【００２１】
入力における変化に関係なく出力における変化を制限するアルゴリズムは、スルー・レート・リミティングとして知られる。このアルゴリズムが予測器をあまりに急速な減少から制限する上記の例は、負のスルー・レート・リミティング()として知られる。このアルゴリズムはまた予測器出力をあまりに急速な増加から制限する。これは正のスルー・レート・リミティングとして知られる。予測器アルゴリズムがディープ・フェード１３０または一連のディープ・フェードから、より少ない予測反復後の局部的平均値１１０に、より近づいた値に戻ることができるように、正のスルー・レート・リミットは負のリミット以上になることができる。
【００２２】
スルー・リミット(slew limit)の最適値は、信号送信間の時間、無線チャネルの特性、移動局の速度および信号パワーを時間中変化させる他のファクタに左右される。もしも正のスルー・リミットが過大に設定されれば、そのとき受信器の飽和ノイズは増加するであろう。もしも正のスルー・リミットが過小に設定されれば、そのとき量子化ノイズを増加して、不十分な増幅が移動局によって加えられる。もしも負のスルー・リミットが過大に設定されれば、そのとき受信器の量子化ノイズは増加するであろうし、もしも負のスルー・リミットが過小に設定されれば、そのとき受信器の飽和ノイズは増加するであろう。  図２Ａは移動無線信号１００上の負のスルー・レート・リミティング２００を図示する。時刻Ｔ０で以前に予測されたパワー２２０は、時刻Ｔ１で現在の予測パワー２４０となるように時間)tだけ遅延される。時刻Ｔ１で現在の受信パワー２３０が測定される。現在の受信パワー２３０はパワー差)Pを決定するために現在の予測パワー２４０と比較される。負のスルー・リミットＳＬＮは事前に決定され、そして受信器の飽和および量子化ノイズを最小化するのに必要な値に設定される。もしもパワー差)Pが負のスルー・リミットＳＬＮより大きければそのとき時刻Ｔ２について次の予測パワー２５０は負のスルー・リミットＳＬＮより小さい現在の予測パワー２４０に等しく設定される。もしもパワー差)Pが負のスルー・リミットＳＬＮ以下であればそのとき次の予測パワー２５０は現在の受信パワー２３０に等しく設定される。
【００２３】
図２Ｂは移動無線信号１００上の正のスルー・レート・リミティング２０１を図示する。時刻Ｔ０で以前に予測されたパワー２６０は、時刻Ｔ１で現在の予測パワー２６２となるように時間)tだけ遅延される。時刻Ｔ１で現在の受信パワー２６４が測定される。現在の受信パワー２６４はパワー差)PNを決定するために現在の予測パワー２６２と比較される。正のスルー・リミットＳＬＰは事前に決定され、そして次の予測パワー２６６を一連のディープ・フェード後の信号平均値１１０の方へ急速に回復させる値に設定される。もしもパワー差)PNが正のスルー・リミットＳＬＰより大きければそのとき時刻Ｔ２について次の予測パワー２６６は現在の予測パワー２６２足す正のスルー・レート・リミットＳＬＰに等しく設定される。もしもパワー差)PNが正のスルー・リミットＳＬＰ以下であればそのとき次の予測パワー２６６は現在の受信パワー２６４に等しく設定される。
【００２４】
図３Ａは受信信号パワーを予測するための予測器回路３００を図示する。予測器３００は現在の受信パワー入力３１０に、現在の予測パワー入力３２０に、次の予測パワー出力３６０におよびスルー・リミット・セレクタ３３０に連結された比較器３５０を具備する。次の予測パワー出力３６０は増幅器利得セレクタ３４０と遅延３７０とに連結される。遅延３７０は現在の予測パワー入力３２０に連結される。スルー・リミット・セレクタ３３０は正のスルー・リミットＳＬＰを示す信号と負のスルー・リミットＳＬＮを示す信号とを比較器３５０に送る。比較器３５０は現在の受信パワー入力３１０における現在の受信パワー２３０を現在の予測パワー入力３２０における現在の予測パワー２４０または２６２から減算する。その結果はパワー差)Pまたは)PNである。
【００２５】
もしも現在の受信パワー２３０が現在の予測パワー２４０未満であり、パワー差)Pが負のスルー・リミットＳＬＮより大きければ、比較器３５０は次の予測パワー２５０を負のスルー・リミットＳＬＮより小さい現在の予測パワー２４０に等しく設定する。比較器３５０は次の予測パワー２５０を次の予測パワー出力３６０に送る。もしもパワー差)Pが負のスルー・リミットＳＬＮ以下であれば、比較器は次の予測パワー２５０を現在の受信パワー２４０に等しく設定し、そして現在の受信パワー２４０を次の予測出力３６０と利得セレクタ３４０とに送る。
【００２６】
もしも現在の受信パワー２６４が現在の予測パワー２６２以上であり、パワー差)PNが正のスルー・リミットＳＬＰより大きければ、比較器３５０は次の予測パワー２６６を現在の予測パワー２６２＋正のスルー・リミットＳＬＰに等しく設定して、次の予測パワー２６６を次の予測パワー出力３６０と利得セレクタ３４０とに送る。もしもパワー差)PNが正のスルー・リミットＳＬＰ以下であれば、比較器３５０は次の予測パワー２６６を現在の受信パワー２６４に等しく設定し、そして次の予測パワー２６６を次の予測パワー出力３６０と利得セレクタ３４０とに送る。
【００２７】
図３Ｂは増幅器利得セレクタ３４０の詳細を図示する。増幅器利得セレクタ３４０は低ノイズ増幅器ＬＮＡ１の入力に連結された増幅器入力３４４を具備する。ＬＮＡ１の出力はＬＮＡ２の入力に連結され、ＬＮＡ２の出力はＬＮＡ３の入力に連結され、そしてＬＮＡ３の出力はＬＮＡ４の入力に連結される。ＬＮＡ４の出力は増幅器出力３４６に連結される。次の予測パワー２５０または２６６はＬＮＡ１、ＬＮＡ２、ＬＮＡ３およびＬＮＡ４の利得状態入力内に連結される。次の予測パワー２５０または２６６は各増幅器の利得状態を設定する。ＬＮＡ１、ＬＮＡ２、ＬＮＡ３およびＬＮＡ４の集合利得は増幅器入力３４４と増幅器出力３４６との間の利得を決定する。例えば、もしも次の受信無線信号にとって必要な受信器利得が１０であったならば、次の予測パワー２５０または２６６はＬＮＡ１の利得状態を１に、ＬＮＡ２を１に、ＬＮＡ３を１に、そしてＬＮＡ４を１０に設定するであろう。３４４と３４６との間の結果としての受信器利得は１０である。利得セレクタ３４０の他の実施形態は異なる数の利得ステージを有する。これらの代替の実施形態の利得は次の予測パワー２５０または２６６に答える。
【００２８】
予測器３００の好ましい実施形態は比較器３５０およびソフトウェア機能として実施されるスルー・リミット・セレクタ３３０を具備する。追加の実施形態は、開示された機能性を提供するためにハードウェア・コンポーネントを使用して実施されることができる。当分野の技術者はハードウェアとソフトウェアとのどちらにおいてもこの開示された機能性の提供の仕方を理解するであろう。
【００２９】
図４は本発明に従って次の受信パワー４００を予測する方法を図示する。ステップ４１０では、現在の受信信号のパワーが測定される。ステップ４２０では、現在の受信パワーが現在の予測パワーと比較される。ステップ４３０では、次の予測パワーが決定される。ステップ４４０では、低ノイズ増幅器の利得が次の予測パワーに基づいて設定される。
【００３０】
図５はステップ４３０の詳細を図示する。ステップ５１０では、もしもステップ４１０の結果が正であればその後ステップ５１５が実行される。もしもステップ４１０の結果が負であればその後ステップ５２０が実行される。ステップ５２０では、上位スルー・リミットが設定される。ステップ５１５では、ステップ４１０の結果が負のスルー・リミットと比較される。もしもステップ４１０の結果が負のスルー・リミット以上であればその後ステップ５３０が実行される。もしもステップ４１０の結果が負のスルー・リミット以下であればその後ステップ５４０が実行される。ステップ５３０では、次の予測パワーは負のスルー・リミットより小さい現在の予測パワーに等しく設定される。ステップ５４０では、次の予測パワーは現在の受信パワーに等しく設定される。
【００３１】
図６はステップ５２０の詳細を図示する。ステップ６１０では、ステップ４１０の結果は正のスルー・リミットと比較される。もしもステップ４１０の結果が正のスルー・リミット以上であれば、その後ステップ６２０を実行する。もしもステップ４１０の結果が正のスルー・リミット以下であればその後ステップ６３０を実行する。ステップ６２０では、次の予測パワーを現在の予測パワー＋正のスルー・リミットに等しく設定する。ステップ６３０では、次の予測パワーを現在の受信パワーに等しく設定する。
【００３２】
スルー限界予測器(a slew limited predictor)は次の受信パワーを予測するための単純で効果的な方法を提供する。予測器は将来の受信信号を予測するのに連続信号を必要とせず、したがって不連続性(discontinuous)の通信システムにおいて使用されることが可能である。将来の信号強度は、非予測システムにおいて、受信パワーを測定するための高価で複雑な回路の必要性を除去して、受信器の増幅器利得を設定するために使用され、そしてデータが受信されるときに必要な受信器利得を早急に設定しようとする。結局、スルー限界予測器は受信器の増幅器の複雑性とコストとを減少させる。スルー・リミティングは予測信号を制限する。したがって、受信器の増幅器は受信信号強度の全電位範囲、まさにその制限された範囲を増幅するのに十分なダイナミックな帯域幅を必要としない。これは受信器において、より安価な増幅器の使用を可能とする。
【００３３】
本発明の種々の実施形態が上述されたが、それらは実例の方法により、そして限定なく示されたと理解されねばならない。この発明の精神および範囲を逸脱すること無くその中で形式および細部に種々の変更がなされてもよいことは関連分野における技術者には明白であるだろう。
【００３４】
例えば、ハードウェアを使用している構成に加えて、この発明の実施は、例えば、ソフトウェア（即ち、コンピュータ可読プログラムコード）を蓄積するように構成されたコンピュータ使用可能な（例えば読取り可能な）媒体内に配置された、ソフトウェア内で具体化されてもよい。プログラムコードはこの中に開示されたシステムおよび技術の機能または構成、あるいは両者を可能にさせる。例えば、これは一般プログラミング言語（例えば、ＣまたはＣ＋＋）、ベリログＨＤＬ，ＶＨＤＬ等を含むハードウェア記述言語（ＨＤＬ）、あるいは他の使用可能なプログラミングおよび／または回路（即ち図式）獲得ツールの使用により達成されることができる。プログラムコードは、半導体、磁気ディスク、光ディスク（例えば、ＣＤ‐ＲＯＭ、ＤＶＤ‐ＲＯＭ）およびコンピュータ使用可能（例えば読取り可能）送信媒体（例えば、搬送波あるいはディジタル、光、またはアナログベースの媒体を含むいずれか他の媒体）内で具体化されるコンピュータ・データ信号として、いずれか既知のコンピュータ使用可能媒体内で使用できるようにされ得る。それ自体、コードはインターネットおよびイントラネットを含む通信ネットワークを通して送信されることができる。
【００３５】
上述されたシステムおよび技術により達成された機能および／または提供された構造はプログラムコードで具体化されるコア（例えば、マイクロプロセッサ・コア）内に示されることが可能であり、そして集積回路の製造の部分としてハードウェアに変換されてもよい。また、このシステムおよび技術はハードウェアとソフトウェアとの組み合わせとして具体化されてもよい。このように、本発明は上述された例示的な実施形態のいずれによっても限定されてはならないが、しかし上記クレームおよびそれらの等価物に従ってのみ定義されねばならない。
【図面の簡単な説明】
【００３６】
【図１】移動無線信号のフェージング特性を示す図。
【図２Ａ】負のスルー・リミテッド信号予測の詳細を示す図。
【図２Ｂ】正のスルー・リミティング信号予測の詳細を示す図。
【図３Ａ】予測器回路の１実施形態を示す図。
【図３Ｂ】利得セレクタの１実施形態を示す図。
【図４】次の受信信号を予測して増幅器利得を設定する方法を示すフローチャート。
【図５】下位のスルー・リミットが使用される次の予測パワーを決定することの詳細を示すフローチャート。
【図６】上位のスルー・リミットが使用される次の予測パワーを決定することの詳細を示すフローチャート。
【符号の説明】
【００３７】
３００…予測器、３１０…受信パワー入力、３２０…予測パワー入力、３３０…スルー・リミット・セレクタ、３４０…増幅器利得セレクタ、３５０…比較器、３６０…予測パワー出力、３７０…遅延
【図１】
2005509362.tif 000003
【図２Ａ】
2005509362.tif 000004
【図２Ｂ】
2005509362.tif 000005
【図３Ａ】
2005509362.tif 000006
【図３Ｂ】
2005509362.tif 000007
【図４】
2005509362.tif 000008
【図５】
2005509362.tif 000009
【図６】
2005509362.tif 000010
【国際調査報告】
2005509362.tif 000011
2005509362.tif 000012
2005509362.tif 000013